(57)【要約】【課題】コーヒー等の抽出液を得られるようにするドリップバッグにおいて、抽出中にドリップバッグを構成するシート材料が破れることを防止する。【解決手段】ドリップバッグ１Ａが、上端部に開口部を有する袋本体２と、袋本体２の対向する２面の外表面に設けられた掛止部材３と、掛止部材３の外周部において袋本体２の外表面に貼着された補強片９からなる。袋本体２は通水性濾過性シート材料から形成され、掛止部材３は薄板状材料から形成される。掛止部材３は、袋本体２の外表面に貼着されている貼着部１１、袋本体２から引き起こし可能に形成されたアーム部５及び掛止片１２からなり、アーム部５の下端が貼着部１１と連続し、上端が掛止片１２と連続する。貼着部１１は、少なくとも、アーム部５の下端部を下方と両側方から囲む部位において貼着され、掛止片１２は、その上部両側に略水平方向に延びた引っ掛け部１３を有する。【選択図】    図１
2004230143.tif 000002
【特許請求の範囲】
【請求項１】
上端部に開口部を有する袋本体と、袋本体の対向する２面の外表面に設けられた掛止部材と、掛止部材の外周部において袋本体の外表面に貼着された補強片からなるドリップバッグであって
袋本体が通水性濾過性シート材料から形成され、
掛止部材が薄板状材料から形成され、
掛止部材が、袋本体の外表面に貼着されている貼着部、袋本体から引き起こし可能に形成されたアーム部及び掛止片からなり、
アーム部の下端が貼着部と連続し、上端が掛止片と連続し
貼着部が、少なくとも、アーム部の下端部を下方と両側方から囲む部位において袋本体の外表面に貼着されており、
掛止片が、該掛止片の上部両側に、略水平方向に延びた引っ掛け部を有することを特徴とするドリップバッグ。
【請求項２】
貼着部と連続するアーム部の下端部が、掛止部材の幅方向の中央部に位置し、貼着部において袋本体の外表面に貼着されている部位が、前記アーム部の下端部を下方と両側方から囲む凹字形状をなしている請求項１記載のドリップバッグ。
【請求項３】
掛止片の引っ掛け部とアーム部の上端両側部が切込線で切り離されている請求項１記載のドリップバッグ。
【請求項４】
掛止片の引っ掛け部と貼着部の上端部とが切込線で画されている請求項１記載のドリップバッグ。
【請求項５】
通水性濾過性シート材料及び掛止部材が生分解性材料からなる請求項１記載のドリップバッグ。
【請求項６】
請求項１〜５のいずれかに記載のドリップバッグに抽出原料が充填され、袋本体の上端が閉じられている飲料ドリップバッグ。
【請求項７】
抽出原料がコーヒー粉又は茶葉である請求項６記載の飲料ドリップバッグ。
【発明の詳細な説明】
【０００１】
【発明の属する技術分野】
本発明は、カップ等の容器の上部に掛止することにより、容易にドリップ式でコーヒー、紅茶、緑茶、漢方薬等の抽出液を得られるようにするドリップバッグに関する。
【０００２】
【従来の技術】
従来より、手軽に本格的なコーヒーを楽しむことを可能とするコーヒーの入れ方として、ペーパードリップ方式が広く普及している。このペーパードリップ方式では、通常、数人分（数杯分）のコーヒーが一度に抽出される。
【０００３】
一方、近年、一人暮らしをする者が多くなり、また、核家族化や出生率の低下等により一家族の構成人数も少なくなっている。そのため、従来の数杯分のコーヒーを抽出することが基本とされているペーパードリップ方式に代えて、一杯分のコーヒーの抽出を手軽に行えるようにすることを目的とした、使い捨てのワンドリップコーヒーが種々の製品形態で市場に出回っている。
【０００４】
中でも、簡略な構成を有するものとしては、コーヒー粉を入れた通水性濾過性シートからなる袋本体と、その袋本体をカップに掛止させるために、袋本体の側面に貼着された紙製等の掛止部材とからなるコーヒードリップバッグであって、掛止部材を特定形状にしたものが提案されている（特許文献１参照）。
【０００５】
図７（ａ）はこのコーヒードリップバッグ１００の平面図であり、図７（ｂ）、（ｃ）は、その使用状態の説明図である。このコーヒードリップバッグ１００は、上端部にミシン目７を設けた袋本体２と、袋本体２の対向する２面の外表面に設けられた掛止部材３と、掛止部材３の外周部に設けられた補強片９からなるドリップバッグ１の当該袋本体２にコーヒー粉を充填し、その上端の開口部を閉じたものである。
【０００６】
掛止部材３は、紙、プラスチックシート等の薄板状材料に切込線を入れることにより形成されている。また、掛止部材３は、周縁部４とアーム部５と舌片部６からなり、舌片部６が袋本体２の外表面に貼着され、舌片部６の下部とアーム部５の下部が連続し、アーム部５の上端と周縁部４の上部とが連続している。図中、掛止部材３において、細かいドットで塗りつぶした部分は袋本体２に貼着されている部分であり、粗いドットで塗りつぶした部分は袋本体２に貼着されていない部分である。
【０００７】
コーヒードリップバッグ１００の使用時には、ミシン目７に沿って袋本体２の上端部を切除することにより開口し、周縁部４を矢印Ａのように引き起こし（図７（ｂ））、カップ３０の径に合わせて周縁部４をさらに引き起こし、それをカップの側壁３１にかける（図７（ｃ））。
【０００８】
これにより、袋本体２は、アーム部５によって対向する２面から矢印Ｂ方向に互いに反対方向に引っ張られ、開口部８が大きく広げられた状態でカップ３０の中央上部に吊されることとなる。そして、補強片９が、袋本体２を構成する表裏のシートが撓んで開口部８が閉ざされることを防止する。また、周縁部４がカップ側壁３１の外面を矢印Ｃ方向に押さえつける。このため、コーヒードリップバッグ１００は安定した状態でカップ３０の上部に固定されることとなる。
【０００９】
こうして、コーヒードリップバッグ１００を、カップ３０にセットした後は、開口部８から矢印のように注湯するだけで容易に美味しいコーヒーを得ることができる。またコーヒー抽出後のコーヒードリップバッグ１００の廃棄も容易に行うことができる。
【００１０】
【特許文献１】特許第３１６６１５１号公報
【００１１】
【発明が解決しようとする課題】
しかしながら、上述のコーヒードリップバッグ１００によれば、カップ３０の開口部の壁厚が薄い場合には、図８（ａ）に示すように、カップ３０の開口部の壁３２を周縁部４とアーム部５とで確実に挟むことができるが、同図（ｂ）に示すように、カップ３０の開口部の壁３２が厚い場合には、その壁３２を周縁部４とアーム部５とでしっかりと挟むことができず、矢印のように掛止部材３がカップ３０から外れやすいという問題があった。
【００１２】
また、コーヒーの抽出時には、図９に矢印で示すように、アーム部５や袋本体２に力がかかり、特に、アーム部５の基部で貼着されている舌片部６の下角部６ａのシート材料に負荷が集中し易い。そのため、シート材料が、例えば、低目付の不織布や湿式不織布等の機械的強度の低いものであると、シート材料が舌片部６の下角部６ａから破れてしまう場合があった。
【００１３】
本発明は以上のような従来技術の課題を解決しようとするものであり、ペーパードリップ方式でコーヒー、紅茶、緑茶、漢方薬等の抽出液を得られるようにする簡略な構成のドリップバッグにおいて、カップの開口部の壁が厚い場合でも、極めて容易にかつ確実にカップにセットできるようにし、また、抽出中のシート材料の破れを防止することを目的とする。
【００１４】
【課題を解決するための手段】
本発明者は、通水性濾過性シートからなる袋本体と、薄板状材料からなる掛止部材とからなるドリップバッグにおいて、掛止部材を特定形状とすることにより、掛止部材をカップにかけた場合に、掛止部材に、カップの開口部の壁に引っ掛かる部分を形成することができ、これによりカップの開口部の壁が厚い場合でも安定的にドリップバッグをカップにセットできること、また袋本体に掛止部材を貼着する部位を特定形状とすることにより、抽出中に、袋本体を形成するシート材料が負荷の集中によって破れることを防止できることを見出した。
【００１５】
即ち、本発明は、上端部に開口部を有する袋本体と、袋本体の対向する２面の外表面に設けられた掛止部材と、掛止部材の外周部において袋本体の外表面に貼着された補強片からなるドリップバッグであって
袋本体が通水性濾過性シート材料から形成され、
掛止部材が薄板状材料から形成され、
掛止部材が、袋本体の外表面に貼着されている貼着部、袋本体から引き起こし可能に形成されたアーム部及び掛止片からなり、
アーム部の下端が貼着部と連続し、上端が掛止片と連続し
貼着部が、少なくとも、アーム部の下端部を下方と両側方から囲む部位において袋本体の外表面に貼着されており、
掛止片が、該掛止片の上部両側に、略水平方向に延びた引っ掛け部を有することを特徴とするドリップバッグを提供する。
【００１６】
また、このドリップバッグに抽出原料が充填され、袋本体の上端が閉じられている飲料ドリップバッグを提供する。
【００１７】
【発明の実施の形態】
以下、本発明のドリップバッグ及びドリップバッグにコーヒー等の抽出原料をを充填した飲料ドリップバッグを、図面を参照しつつ詳細に説明する。なお、各図中、同一符号は同一又は同等の構成要素を表している。
【００１８】
図１（ａ）は、本発明の飲料ドリップバッグの一形態であるコーヒードリップバッグ１００Ａの一実施例の平面図であり、図１（ｂ）、（ｃ）は、それぞれその使用状態の説明図である。
【００１９】
このコーヒードリップバッグ１００Ａは、本発明の一実施例のドリップバッグ１Ａにコーヒー粉を充填し、その上端の開口部を閉じ、さらに上端部にミシン目７を設けたものである。
【００２０】
ドリップバッグ１Ａは、通水性濾過性シート材料からなる袋本体２と、袋本体２の対向する２面の外表面に設けられた掛止部材３と、掛止部材３の外周部において袋本体２の外表面に貼着された補強片９からなっている。
【００２１】
袋本体２は、対向する表裏２つの矩形面２ａ、２ｂを有している。このような袋本体２は、例えば、一枚の矩形シートを二つ折りにし、その折山を矩形面２ａ、２ｂの下辺とし、矩形面２ａ、２ｂの両側辺２ｐ、２ｑを接着又は融着し（図１（ａ）において、横線のハッチングを付した部分）、上端部を開口部として残すことにより形成することができる。
【００２２】
袋本体２を形成する通水性濾過性シート材料としては、所定量のコーヒー粉を充填し、注湯した場合にコーヒーの浸出が可能であるものを種々使用することができる。例えば、ポリエステル、ナイロン、ポリエチレン、ポリプロピレン、ビニロン等の合成繊維、レーヨン等の半合成繊維、コウゾ、ミツマタ等の天然繊維の単独又は複合繊維からなる織布あるいは不織布、マニラ麻、木材パルプ、ポリプロピレン繊維等からなる混抄紙等、ティーバッグ原紙等の紙類を使用することができる。また、通水性濾過性シート材料としては、味、香り、風味、抽出時間の点で、１層目がポリエステル、２層目がレギュラーポリエステルと低融点ポリエステルとの混抄紙、３層目がポリプロピレンの極細繊維からなるメルトブロー不織布からなる３層構造のシート材料が好ましく、一方、コーヒードリップバッグの使用後の廃棄性の点からは、生分解性材料から形成することが好ましい。生分解性材料としては、ポリ乳酸、ポリブチレンサクシネート、ポリエチレンサクシネート等をあげることができる。
【００２３】
掛止部材３は、袋本体２をカップ３０にかけるために、袋本体２の表裏の矩形面２ａ、２ｂの外表面にそれぞれ設けられている。図１（ａ）の掛止部材３において、細かいドットで塗りつぶした部分が、袋本体２の外表面に貼着された部分であり、粗いドットで塗りつぶした部分が貼着されていない部分である。この掛止部材３は、紙、プラスチックシート等の薄板状材料から形成されている。この薄板状材料も、ポリ乳酸、ポリブチレンサクシネート、ポリエチレンサクシネート等の生分解性材料から形成したものが好ましい。
【００２４】
掛止部材３は、貼着部１１とアーム部５と掛止片１２からなり、これらは１枚の薄板状材料の打ち抜きにより形成されている。
【００２５】
ここで、アーム部５は、その下端が貼着部１１と連続し、上端が掛止片１２と連続し、袋本体２から引き起こし可能に形成されている。また、貼着部１１と連続するアーム部５の下端部は、掛止部材３の幅方向の中央部に位置している。
【００２６】
貼着部１１は、そのほぼ全面が袋本体２の外表面に貼着されており、この貼着部位は、アーム部５の下端部を下方と両側方から囲む凹字形状をなしている。
【００２７】
掛止片１２は掛止部材３の外周部全周にわたって形成され、アーム部５の上端中央部と連続している。また、掛止片１２は、その上部両側に、アーム部５の上端から線Ｌ１で切り離されて略水平方向に延びた引っ掛け部１３を有する。この引っ掛け部１３の掛止部材３の中央部側端部には折れ線Ｌ２が形成され、掛止片１２の下部において、前記折れ線Ｌ２の延長線上に折れ線Ｌ３が形成されている。
【００２８】
補強片９は、掛止部材３の上方と両側方において掛止部材３と当接する位置にあり、袋本体２の外表面に貼着されている。補強片９をこのように掛止部材３に当接する位置に形成すると、一枚の薄板状材料の打ち抜きにより、容易に、かつ薄板状材料の無駄を抑えて低コストに、掛止部材３と補強片９とを同時に形成できるので好ましい。また、補強片９は、袋本体２の開口部に沿った帯状部分を有し、その帯状部分には、該帯状部分をコ字状に折るための折れ線Ｌ４が形成されている。
【００２９】
掛止部材３と補強片９の大きさについては特に限定はないが、コーヒードリップバッグ１００Ａをカップ３０へかけた場合に（図１（ｃ）参照）、小さすぎると袋本体２の形状の安定性が低下するので、例えば、袋本体２の高さＨ１  が７０〜１００ｍｍ、幅Ｗ１  が６５〜８５ｍｍである場合に、掛止部材３と補強片９を合わせた高さＨ２  を３５〜８５ｍｍ、幅Ｗ２  を３５〜７５ｍｍ程度とすることが好ましい。
【００３０】
このコーヒードリップバッグ１００Ａを使用してコーヒーを抽出する方法としては、まず、ミシン目７にそって袋本体２の上端部を切除することにより袋本体２を開口し、図１（ｂ）に示したように、アーム部５と掛止片１２を引き起こす。次に図１（ｃ）に示したように、カップ３０の開口部の径に合わせてさらにアーム部５と掛止片１２を引き起こし、掛止片１２をカップの側壁３１にかけ、掛止片１２を折れ線Ｌ２、Ｌ３で折り曲げる。こうして、コーヒードリップバッグ１００Ａをカップ３０にセットした後、袋本体２の開口部８から注湯する。
【００３１】
このようにコーヒードリップバッグ１００Ａをカップ３０にセットすることにより、掛止片１２の引っ掛け部１３がカップ３０の開口部の壁３２に載るように引っ掛かり、掛止部材３がカップ３０に極めて安定に掛止される。このとき、袋本体２は、アーム部５によって対向する２面から矢印Ｂ方向に、互いに反対方向に引っ張られ、開口部８が大きく広げられる。また、この開口形状は、折れ線Ｌ４を有する補強片９によって良好に維持され、袋本体２の表裏の矩形面２ａ、２ｂが撓んで開口部８が閉ざされることが防止される。特に、図２に示すように、袋本体２の開口部８に沿って設けられている補強片９の帯状部分９ａを折れ線Ｌ４で折り曲げ、その帯状部分９ａをコ字状にすることにより、カップ３０の開口部の径が小さい場合でも袋本体２の開口部８を広げた状態とすることができる。
【００３２】
これに対して、図１０に示すように、補強片９にこのような折れ線をもたない従来のコーヒードリップバッグ１００では、カップ３０の開口部の径が小さい場合には、袋本体２の開口部８の開きが狭くなる。
【００３３】
このように、このコーヒードリップバッグ１００Ａによれば、カップ３０の開口部の壁が厚い場合でも薄い場合でも、極めて安定した状態に簡単にコーヒードリップバッグ１００Ａをカップ３０にセットすることができる。また、カップ３０の開口部の径の大小によらず、袋本体２の開口部８が大きく開口した状態で、コーヒードリップバッグ１００Ａをカップ３０にセットすることができる。したがって、コーヒー抽出時の注湯が容易となる。
【００３４】
さらに、このコーヒードリップバッグ１００Ａによれば、貼着部１１と連続するアーム部５の下端部が、掛止部材３の幅方向の中央部に位置し、貼着部１１において袋本体２の外表面に貼着されている部位が、アーム部５の下端部を下方と両側方から囲むようように凹字形状となっているので、図７のコーヒードリップバッグ１００に比して、コーヒーの抽出時に貼着部１１の下角部１１ａのシート材料にかかる負荷が大きく緩和される。したがって、コーヒーの抽出時に袋本体２のシート材料が破れることが防止される。
【００３５】
なお、以上の説明では、コーヒードリップバッグ１００Ａをミシン目７で開口した後、コーヒードリップバッグ１００Ａをカップ３０にセットする例を示したが、本発明のコーヒードリップバッグ１００Ａの使用方法はこれに限られず、コーヒードリップバッグ１００Ａをカップ３０にセットした後、コーヒードリップバッグ１００Ａを開口してもよい。
【００３６】
図３（ａ）は、本発明の異なる態様のコーヒードリップバッグ１００Ｂの平面図であり、図３（ｂ）、（ｃ）は、それぞれその使用状態の説明図である。この図３（ａ）においても、細かいドットで塗りつぶした部分が、袋本体２の外表面に貼着された部位であり、粗いドットで塗りつぶした部分が貼着されていない部分である。
【００３７】
このコーヒードリップバッグ１００Ｂは、コーヒー一杯分ではなく、数杯分のドリップに適するように、袋本体２を大型に形成したものであり、袋本体２の底部には、図４に示すように、シート材料を折り返すことにより形成したマチ１４が形成されている。
【００３８】
また、このコーヒードリップバッグ１００Ｂでは、袋本体２をコーヒーサーバー３５等に掛止した場合に、コーヒーサーバー３５内に溜まった抽出液に袋本体２が浸らないようにするため、掛止部材３の下辺と袋本体２の下辺の位置をほぼそろえている。
【００３９】
また、掛止片１２の引っ掛け部１３がアーム部５の上端両側部と切込線で画されるのではなく、貼着部１１の上端部と切込線Ｌ５で画されている。これにより図１のコーヒードリップバッグ１００Ａに比して貼着部１１の面積割合が増加し、袋本体２と掛止部材３との接合強度が向上する。また、図５（ａ）、（ｂ）に示すように、切込線Ｌ５の長さＷ３を適宜大きくすることにより、引っ掛け部１３を折れ線Ｌ２、Ｌ３（図１（ａ）参照）で折らなくても、開口部の壁が厚いコーヒーサーバー３５あるいはカップ等に対して、掛止片１２を安定に掛止させることができる。
【００４０】
切込線Ｌ５の長さＷ３の好ましい値は、当該コーヒードリップバッグ１００Ｂを掛止させるコーヒーサーバー３５あるいはカップ等の開口部の壁厚によって異なるが、通常、数杯分のコーヒーサーバーの場合、切込線Ｌ５の長さＷ３は、６〜２０ｍｍとすることが好ましい。
【００４１】
図６（ａ）は、本発明のさらに異なる態様のコーヒードリップバッグ１００Ｃの平面図であり、図６（ｂ）、（ｃ）は、それぞれその使用状態の説明図である。
【００４２】
図６に示すコーヒードリップバッグ１００Ｃは、掛止片１２を、掛止部材３の外周部全周にわたって形成することなく、アーム部５の上部外周部に形成し、アーム部５の下部を二股に分け、それぞれの下端部を貼着部１１と連続させ、さらにその下端部の下方と両側方を囲む部位において、貼着部１１を袋本体２の外表面に貼着したものである。この態様においても、貼着部１１と連続するアーム部５の下端部を下方と両側方から囲む部位において貼着部１１を袋本体２の外表面に貼着しているので、コーヒーの抽出時に貼着部１１の下角部１１ａのシート材料にかかる負荷を大きく緩和することができ、コーヒーの抽出時に袋本体２のシート材料が破れることを防止できる。
【００４３】
なお、二股に分かれたアーム部５で挟まれた三角形状の貼着部１１の上部１１ｂは、袋本体２に貼着されていない。このように、本発明においては、必ずしも貼着部１１の全面を袋本体２の外表面に貼着する必要はない。
【００４４】
また、このコーヒードリップバッグ１００Ｃには、掛止片１２の上部と貼着部１１の上端とを区切る湾曲した切込線Ｌ５が形成されており、これにより引っ掛け部１３が形成されている。したがって、図６（ｃ）に示すように、このコーヒードリップバッグ１００Ｃもカップ３０にセットすることにより、掛止片１２の引っ掛け部１３がカップ３０の開口部の壁３２に載るように引っ掛かり、掛止部材３がカップ３０に極めて安定に掛止される。
【００４５】
さらに、この掛止片１２は上端中央部が突出しており、それにより、掛止片１２とアーム部５とが合わさって人型形状となり、デザイン的にも斬新なものとなっているが、本発明において、掛止片１２、アーム部５、貼着部１１、及び補強片９の各形状は、カップ３０に掛止した場合の安定性が確保されるように掛止片１２に引っ掛け部１３を設け、また、抽出時にシート材料が負荷の集中により破れることを防止するために、アーム部５の下端部と連続する貼着部１１の貼着部位を特定形状とする限り、デザイン的な制限はない。
【００４６】
この他、本発明は種々の態様をとることができる。
【００４７】
例えば、上述のコーヒードリップバッグ１００Ａ、１００Ｂ、１００Ｃの袋本体２の上端部のミシン目７は、この部分の開口を容易にするために設けられているが、ミシン目７に代えて、この部分を容易に剥離することができる程度に熱接着によりシールしてもよい。
【００４８】
また、本発明のドリップバッグに充填する抽出原料としては、コーヒー粉に代えて紅茶、緑茶等の茶葉や、漢方薬等を使用してもよく、それにより種々の飲料ドリップバッグを得ることができる。
【００４９】
【発明の効果】
本発明のドリップバッグ、あるいはそれに抽出原料を充填した飲料ドリップバッグは、カップの開口部の壁厚が肉薄〜肉厚のどのような厚さであっても、カップへのセットが極めて容易で、セット後の形状も安定している。また、カップの開口径の大小によらず、袋本体の開口部を大きく開口させることができ、注湯が容易となる。
【００５０】
さらに、抽出時に、ドリップバッグを形成するシート材料が、負荷の集中により破れることを防止できる。
【図面の簡単な説明】
【図１】本発明のコーヒードリップバッグの平面図（ａ）と使用状態の説明図（ｂ）、（ｃ）である。
【図２】本発明のコーヒードリップバッグの使用状態の説明図である。
【図３】本発明のコーヒードリップバッグの異なる態様の平面図（ａ）と使用状態の説明図（ｂ）、（ｃ）である。
【図４】本発明のコーヒードリップバッグの異なる態様の底部側の斜視図である。
【図５】図４のコーヒードリップバッグの使用状態の側面拡大図（ａ）及び上面拡大図（ｂ）である。
【図６】本発明のコーヒードリップバッグのさらに異なる態様の平面図（ａ）と使用状態の説明図（ｂ）、（ｃ）である。
【図７】従来のコーヒードリップバッグの平面図（ａ）と使用状態の説明図（ｂ）、（ｃ）である。
【図８】従来のコーヒードリップバッグの使用時の問題点の説明図（ａ）、（ｂ）である。
【図９】従来のコーヒードリップバッグの使用時の問題点の説明図である。
【図１０】従来のコーヒードリップバッグの使用時の問題点の説明図である。
【符号の説明】
１Ａ  ドリップバッグ
２    袋本体
３    掛止部材
４    周縁部
５    アーム部
６    舌片部
８    開口部
９    補強片
１１    貼着部
１２    掛止片
１３    引っ掛け部
３０    カップ
１００Ａ、１００Ｂ、１００Ｃ  コーヒードリップバッグ
【図１】
2004230143.tif 000003
【図２】
2004230143.tif 000004
【図３】
2004230143.tif 000005
【図４】
2004230143.tif 000006
【図５】
2004230143.tif 000007
【図６】
2004230143.tif 000008
【図７】
2004230143.tif 000009
【図８】
2004230143.tif 000010
【図９】
2004230143.tif 000011
【図１０】
2004230143.tif 000012